(57)【特許請求の範囲】
【請求項１】
被写体像を撮像して画像データを出力する撮像素子と、
上記撮像素子への露光量を制御するシャッタと、
被写体輝度に応じて上記撮像素子の積分時間を算出する算出回路と、
上記シャッタを開いて上記算出回路が算出した積分時間の間上記撮像素子を積分して画像データを取込む第１撮像動作と、上記シャッタを閉じた状態で上記第１撮像動作と同じ積分時間の間上記撮像素子を積分動作させて固定パターンノイズデータを取込み、該固定パターンノイズデータと上記積分時間とを記憶する第２撮像動作と、を実行可能であって、上記第１撮像動作で取込んだ画像データを上記第２撮像動作で取込んだ固定パターンノイズデータを用いて補正する補正動作を実行可能な制御回路と、
を有した電子カメラに於いて、
上記制御回路は、上記第１撮像動作の実行後、第１撮像動作の積分時間と上記第２撮像動作で記録された積分時間との比較結果が所定の範囲に入る場合は該比較結果に応じて記憶されている固定パターンノイズデータを補正して上記補正動作を実行し、上記比較結果が所定の範囲に入らない場合は第２撮像動作を実行して新たな固定パターンノイズデータを取込んだ後に上記補正動作を実行することを特徴とする電子カメラ。
【請求項２】
被写体像を撮像して画像データを出力する撮像素子と、
上記撮像素子への露光量を制御するシャッタと、
被写体輝度に応じて上記撮像素子の積分時間を算出する算出回路と、
上記画像データを記録する際の複数の圧縮率に対応させられた画質から１つの画質を手動選択操作に応じて選択する選択回路と、
上記画質に各々対応して積分時間に関する係数を記憶した記憶回路と、
上記シャッタを開いて上記算出回路が算出した積分時間の間上記撮像素子を積分して画像データを取込む第１撮像動作と、上記シャッタを閉じた状態で上記第１撮像動作と同じ積分時間の間上記撮像素子を積分動作させて固定パターンノイズデータを取込み、該固定パターンノイズデータと上記積分時間とを記憶する第２撮像動作と、を実行可能であって、上記第１撮像動作で取込んだ画像データを上記第２撮像動作で取込んだ固定パターンノイズデータを用いて補正する補正動作を実行可能な制御回路と、
を有した電子カメラに於いて、
上記制御回路は、上記第１撮像動作の実行後、第１撮像動作の積分時間と上記第２撮像動作で記録された積分時間との比較結果が選択された画質に応じて上記記憶回路から読み出した係数により定まる範囲に入るか否かを判定し、該比較結果が該範囲に入る場合は該比較結果に応じて記憶されている固定パターンノイズデータを補正して上記補正動作を実行し、上記比較結果が上記範囲に入らない場合は第２撮像動作を実行して新たな固定パターンノイズデータを取込んだ後に上記補正動作を実行することを特徴とする電子カメラ。
【請求項３】
被写体像を撮像して画像データを出力する撮像素子と、
上記撮像素子への露光量を制御するシャッタと、
被写体輝度に応じて上記撮像素子の積分時間を算出する算出回路と、
温度を測定する温度センサと、
上記シャッタを開いて上記算出回路が算出した積分時間の間上記撮像素子を積分して画像データを取込む第１撮像動作と、上記シャッタを閉じた状態で上記第１撮像動作と同じ積分時間の間上記撮像素子を積分動作させて固定パターンノイズデータを取込み、該固定パターンノイズデータと上記温度センサで測定した温度とを記憶する第２撮像動作と、を実行可能であって、上記第１撮像動作で取込んだ画像データを上記第２撮像動作で取込んだ固定パターンノイズデータを用いて補正する補正動作を実行可能な制御回路と、
を有した電子カメラに於いて、
上記制御回路は、上記第１撮像動作の実行後、上記温度センサの測定した温度と上記第２撮像動作で記録された温度との比較結果が所定の範囲に入るならば該比較結果に応じて記憶されている固定パターンノイズデータを補正して上記補正動作を実行し、上記比較結果が所定の範囲に入らない場合は第２撮像動作を実行して新たな固定パターンノイズデータを取込んだ後に上記補正動作を実行することを特徴とする電子カメラ。
【請求項４】
被写体像を撮像して画像データを出力する撮像素子と、
上記撮像素子への露光量を制御するシャッタと、
被写体輝度に応じて上記撮像素子の積分時間を算出する算出回路と、
温度を測定する温度センサと、
上記画像データを記録する際の複数の圧縮率に対応させられた画質から１つの画質を手動選択操作に応じて選択する選択回路と、
上記画質に各々対応して設定される温度に関する許容値を記憶した記憶回路と、
上記シャッタを開いて上記算出回路が算出した積分時間の間上記撮像素子を積分して画像データを取込む第１撮像動作と、上記シャッタを閉じた状態で上記第１撮像動作と同じ積分時間の間上記撮像素子を積分動作させて固定パターンノイズデータを取込み、該固定パターンノイズデータと上記温度センサで測定した温度とを記憶する第２撮像動作と、を実行可能であって、上記第１撮像動作で取込んだ画像データを上記第２撮像動作で取込んだ固定パターンノイズデータを用いて補正する補正動作を実行可能な制御回路と、
を有した電子カメラに於いて、
上記制御回路は、上記第１撮像動作の実行後、上記温度センサの測定した温度と上記第２撮像動作の実行後に記録された温度との比較間結果が選択された画質に応じて上記記憶回路から読み出した許容値に入るか否かを判定し、該比較結果が該許容値に入る場合は該比較結果に応じて記憶されている固定パターンノイズデータを補正して上記補正動作を実行し、上記比較結果が上記許容値に入らない場合は第２撮像動作を実行して新たな固定パターンノイズデータを取込んだ後に上記補正動作を実行することを特徴とする電子カメラ。
【発明の詳細な説明】
【０００１】
【発明の属する技術分野】
この発明は撮像素子により被写体像を取り込む電子カメラに関し、より詳細には固体撮像素子を用いた電子カメラに於ける固定パターンノイズを除去した電子カメラに関するものである。
【０００２】
【従来の技術】
従来、例えば特開平８−５１５７１号公報に記載されているように、電子的撮像装置は、撮像素子と撮像素子への被写体光の透光遮光を制御する露出制御用シャッタを有している。この電子的撮像装置では、シャッタの透光状態で撮像素子から画像データの読出し後、撮像素子の固定パターンノイズ（Ｆｉｘｅｄ  Ｐａｔｔｅｒｎ  Ｎｏｉｓｅ；ＦＰＮ）を測定するために、シャッタの遮光状態で撮像素子から画像データの読出しが行われる。そして、この２つの画像データから、固定パターンノイズを含まない画像データが生成されるようになっている。
【０００３】
【発明が解決しようとする課題】
ところで、固定パターンノイズは、撮像素子の露光時間と温度により変化するため、画像データから完全に固定パターンノイズを除去するためには、固定パターンノイズのデータを撮影毎に測定することが望ましい。
【０００４】
しかしながら、このように撮影ごとに固定パターンノイズを測定するためには、１回の撮影動作に於いて撮像素子に対して２回の電荷蓄積動作を行わせるため、単純に考えれば２倍の積分時間を必要とする。
【０００５】
また、近年、デジタルカメラに対する画質向上のため、撮像素子の画素数がますます増える方向にある。そして、画素数の増加は、撮像素子からの画像データの読出し時間の増大につながる。したがって、固定パターンノイズのデータを毎回測定するならば、読出し時間も２倍となってしまう。
【０００６】
これら積分時間や読出し時間の増加は、カメラの動作シーケンス上では、レリーズタイムラグの増大や、連続撮影速度の低下となってしまうものであった。
この発明は、上記課題に鑑みてなされたものであり、積分時間や読出し時間の増加によるレリーズタイムラグの増大や、連続撮影速度の低下を防止して、画像データから固定パターンノイズの除去を正しく実行可能な電子カメラを提供することを目的とする。
【０００７】
【課題を解決するための手段】
すなわちこの発明は、被写体像を撮像して画像データを出力する撮像素子と、上記撮像素子への露光量を制御するシャッタと、被写体輝度に応じて上記撮像素子の積分時間を算出する算出回路と、上記シャッタを開いて上記算出回路が算出した積分時間の間上記撮像素子を積分して画像データを取込む第１撮像動作と、上記シャッタを閉じた状態で上記第１撮像動作と同じ積分時間の間上記撮像素子を積分動作させて固定パターンノイズデータを取込み、該固定パターンノイズデータと上記積分時間とを記憶する第２撮像動作と、を実行可能であって、上記第１撮像動作で取込んだ画像データを上記第２撮像動作で取込んだ固定パターンノイズデータを用いて補正する補正動作を実行可能な制御回路と、を有した電子カメラに於いて、上記制御回路は、上記第１撮像動作の実行後、第１撮像動作の積分時間と上記第２撮像動作で記録された積分時間との比較結果が所定の範囲に入る場合は該比較結果に応じて記憶されている固定パターンノイズデータを補正して上記補正動作を実行し、上記比較結果が所定の範囲に入らない場合は第２撮像動作を実行して新たな固定パターンノイズデータを取込んだ後に上記補正動作を実行することを特徴とする。
またこの発明は、被写体像を撮像して画像データを出力する撮像素子と、上記撮像素子への露光量を制御するシャッタと、被写体輝度に応じて上記撮像素子の積分時間を算出する算出回路と、上記画像データを記録する際の複数の圧縮率に対応させられた画質から１つの画質を手動選択操作に応じて選択する選択回路と、上記画質に各々対応して積分時間に関する係数を記憶した記憶回路と、上記シャッタを開いて上記算出回路が算出した積分時間の間上記撮像素子を積分して画像データを取込む第１撮像動作と、上記シャッタを閉じた状態で上記第１撮像動作と同じ積分時間の間上記撮像素子を積分動作させて固定パターンノイズデータを取込み、該固定パターンノイズデータと上記積分時間とを記憶する第２撮像動作と、を実行可能であって、上記第１撮像動作で取込んだ画像データを上記第２撮像動作で取込んだ固定パターンノイズデータを用いて補正する補正動作を実行可能な制御回路と、を有した電子カメラに於いて、上記制御回路は、上記第１撮像動作の実行後、第１撮像動作の積分時間と上記第２撮像動作で記録された積分時間との比較結果が選択された画質に応じて上記記憶回路から読み出した係数により定まる範囲に入るか否かを判定し、該比較結果が該範囲に入る場合は該比較結果に応じて記憶されている固定パターンノイズデータを補正して上記補正動作を実行し、上記比較結果が上記範囲に入らない場合は第２撮像動作を実行して新たな固定パターンノイズデータを取込んだ後に上記補正動作を実行することを特徴とする。
更にこの発明は、被写体像を撮像して画像データを出力する撮像素子と、上記撮像素子への露光量を制御するシャッタと、被写体輝度に応じて上記撮像素子の積分時間を算出する算出回路と、温度を測定する温度センサと、上記シャッタを開いて上記算出回路が算出した積分時間の間上記撮像素子を積分して画像データを取込む第１撮像動作と、上記シャッタを閉じた状態で上記第１撮像動作と同じ積分時間の間上記撮像素子を積分動作させて固定パターンノイズデータを取込み、該固定パターンノイズデータと上記温度センサで測定した温度とを記憶する第２撮像動作と、を実行可能であって、上記第１撮像動作で取込んだ画像データを上記第２撮像動作で取込んだ固定パターンノイズデータを用いて補正する補正動作を実行可能な制御回路と、を有した電子カメラに於いて、上記制御回路は、上記第１撮像動作の実行後、上記温度センサの測定した温度と上記第２撮像動作で記録された温度との比較結果が所定の範囲に入るならば該比較結果に応じて記憶されている固定パターンノイズデータを補正して上記補正動作を実行し、上記比較結果が所定の範囲に入らない場合は第２撮像動作を実行して新たな固定パターンノイズデータを取込んだ後に上記補正動作を実行することを特徴とする。
この発明は、被写体像を撮像して画像データを出力する撮像素子と、上記撮像素子への露光量を制御するシャッタと、被写体輝度に応じて上記撮像素子の積分時間を算出する算出回路と、温度を測定する温度センサと、上記画像データを記録する際の複数の圧縮率に対応させられた画質から１つの画質を手動選択操作に応じて選択する選択回路と、上記画質に各々対応して設定される温度に関する許容値を記憶した記憶回路と、上記シャッタを開いて上記算出回路が算出した積分時間の間上記撮像素子を積分して画像データを取込む第１撮像動作と、上記シャッタを閉じた状態で上記第１撮像動作と同じ積分時間の間上記撮像素子を積分動作させて固定パターンノイズデータを取込み、該固定パターンノイズデータと上記温度センサで測定した温度とを記憶する第２撮像動作と、を実行可能であって、上記第１撮像動作で取込んだ画像データを上記第２撮像動作で取込んだ固定パターンノイズデータを用いて補正する補正動作を実行可能な制御回路と、を有した電子カメラに於いて、上記制御回路は、上記第１撮像動作の実行後、上記温度センサの測定した温度と上記第２撮像動作の実行後に記録された温度との比較間結果が選択された画質に応じて上記記憶回路から読み出した許容値に入るか否かを判定し、該比較結果が該許容値に入る場合は該比較結果に応じて記憶されている固定パターンノイズデータを補正して上記補正動作を実行し、上記比較結果が上記許容値に入らない場合は第２撮像動作を実行して新たな固定パターンノイズデータを取込んだ後に上記補正動作を実行することを特徴とする。
【０００８】
この発明の電子カメラにあっては、撮像素子によって被写体像が撮像されて画像データが出力され、上記撮像素子への露光量がシャッタによって制御される。また、被写体輝度に応じて上記撮像素子の積分時間が算出回路により算出される。そして、制御回路に於いて、上記シャッタを開いて上記算出回路が算出した積分時間の間上記撮像素子を積分して画像データを取込む第１撮像動作と、上記シャッタを閉じた状態で上記第１撮像動作と同じ積分時間の間上記撮像素子を積分動作させて固定パターンノイズデータを取込み、該固定パターンノイズデータと上記積分時間とを記憶する第２撮像動作と、を実行可能であって、上記第１撮像動作で取込んだ画像データを上記第２撮像動作で取込んだ固定パターンノイズデータを用いて補正する補正動作を実行可能となる。上記制御回路は、上記第１撮像動作の実行後、第１撮像動作の積分時間と上記第２撮像動作で記録された積分時間との比較結果が所定の範囲に入る場合は該比較結果に応じて記憶されている固定パターンノイズデータを補正して上記補正動作を実行し、上記比較結果が所定の範囲に入らない場合は第２撮像動作を実行して新たな固定パターンノイズデータを取込んだ後に上記補正動作を実行する。
またこの発明の電子カメラにあっては、撮像素子により被写体像が撮像されて画像データが出力され、上記撮像素子への露光量がシャッタによって制御される。また、被写体輝度に応じて上記撮像素子の積分時間が算出回路によって算出される。選択回路では、上記画像データを記録する際の複数の圧縮率に対応させられた画質から１つの画質が手動選択操作に応じて選択され、上記画質に各々対応して積分時間に関する係数が記憶回路に記憶されている。そして、制御回路に於いて、上記シャッタを開いて上記算出回路が算出した積分時間の間上記撮像素子を積分して画像データを取込む第１撮像動作と、上記シャッタを閉じた状態で上記第１撮像動作と同じ積分時間の間上記撮像素子を積分動作させて固定パターンノイズデータを取込み、該固定パターンノイズデータと上記積分時間とを記憶する第２撮像動作と、を実行可能であって、上記第１撮像動作で取込んだ画像データを上記第２撮像動作で取込んだ固定パターンノイズデータを用いて補正する補正動作を実行可能となる。上記制御回路は、上記第１撮像動作の実行後、第１撮像動作の積分時間と上記第２撮像動作で記録された積分時間との比較結果が選択された画質に応じて上記記憶回路から読み出した係数により定まる範囲に入るか否かを判定し、該比較結果が該範囲に入る場合は該比較結果に応じて記憶されている固定パターンノイズデータを補正して上記補正動作を実行し、上記比較結果が上記範囲に入らない場合は第２撮像動作を実行して新たな固定パターンノイズデータを取込んだ後に上記補正動作を実行する。
またこの発明の電子カメラにあっては、撮像素子により被写体像が撮像されて画像データが出力され、上記撮像素子への露光量がシャッタによって制御される。また、被写体輝度に応じて上記撮像素子の積分時間が算出回路で算出され、温度センサによって温度が測定される。そして、制御回路に於いて、上記シャッタを開いて上記算出回路が算出した積分時間の間上記撮像素子を積分して画像データを取込む第１撮像動作と、上記シャッタを閉じた状態で上記第１撮像動作と同じ積分時間の間上記撮像素子を積分動作させて固定パターンノイズデータを取込み、該固定パターンノイズデータと上記温度センサで測定した温度とを記憶する第２撮像動作と、を実行可能であって、上記第１撮像動作で取込んだ画像データを上記第２撮像動作で取込んだ固定パターンノイズデータを用いて補正する補正動作を実行可能となる。上記制御回路は、上記第１撮像動作の実行後、上記温度センサの測定した温度と上記第２撮像動作で記録された温度との比較結果が所定の範囲に入るならば該比較結果に応じて記憶されている固定パターンノイズデータを補正して上記補正動作を実行し、上記比較結果が所定の範囲に入らない場合は第２撮像動作を実行して新たな固定パターンノイズデータを取込んだ後に上記補正動作を実行する。
そして、この発明の電子カメラにあっては、撮像素子によって被写体像が撮像されて画像データが出力され、上記撮像素子への露光量がシャッタによって制御される。また、被写体輝度に応じて上記撮像素子の積分時間が算出回路で算出され、温度センサによって温度が測定される。選択回路では、上記画像データを記録する際の複数の圧縮率に対応させられた画質から１つの画質が手動選択操作に応じて選択される。上記画質に各々対応して設定される温度に関する許容値は記憶回路に記憶されている。そして、制御回路に於いて、上記シャッタを開いて上記算出回路が算出した積分時間の間上記撮像素子を積分して画像データを取込む第１撮像動作と、上記シャッタを閉じた状態で上記第１撮像動作と同じ積分時間の間上記撮像素子を積分動作させて固定パターンノイズデータを取込み、該固定パターンノイズデータと上記温度センサで測定した温度とを記憶する第２撮像動作と、を実行可能であって、上記第１撮像動作で取込んだ画像データを上記第２撮像動作で取込んだ固定パターンノイズデータを用いて補正する補正動作を実行可能となる。上記制御回路は、上記第１撮像動作の実行後、上記温度センサの測定した温度と上記第２撮像動作の実行後に記録された温度との比較間結果が選択された画質に応じて上記記憶回路から読み出した許容値に入るか否かを判定し、該比較結果が該許容値に入る場合は該比較結果に応じて記憶されている固定パターンノイズデータを補正して上記補正動作を実行し、上記比較結果が上記許容値に入らない場合は第２撮像動作を実行して新たな固定パターンノイズデータを取込んだ後に上記補正動作を実行する。
【０００９】
この発明の電子カメラに於いては、固定パターンノイズの補正を行う際に、既に測定された固定パターンノイズ（ＦＰＮ）データが存在するかを判定する。そして、ＦＰＮデータが存在すればこのＦＰＮデータが測定された時の測定条件と現在の撮影条件とを比較する。この比較の結果、このＦＰＮデータが使用可能と判定されると、この使用可能なＦＰＮデータに基いて画像データに補正をかける。一方、使用不可能と判定されると、ＦＰＮデータの測定を行い、この測定されたデータに基いて画像データの補正を行う。そして、このデータとこの時の撮影条件（測定条件）を記憶して、次の補正動作に備えるようにする。
【００１０】
【発明の実施の形態】
以下、図面を参照してこの発明の実施の形態を説明する。
図１は、この発明の第１の実施の形態の構成を示すもので、電子撮像カメラのブロック構成図である。
【００１１】
図１に於いて、図示されない被写体像からの撮影光束が、撮影レンズ１及び光量を調節するための露出手段である絞り２を介して、図示矢印方向に回動可能なクイックリターンミラー３に導かれる。クイックリターンミラー３の中央部はハーフミラーになっており、該クイックリターンミラー３のダウン時に一部の光束が透過する。そして、この透過した光束は、クイックリターンミラー３に設置されたサブミラー４で反射され、ＡＦセンサ５に導かれる。
【００１２】
一方、クイックリターンミラー３で反射された撮影光束は、ペンタプリズム６、接眼レンズ７を介して撮影者の目に至る。
また、クイックリターンミラー３のアップ時には、上記撮影レンズ１からの光束は、フィルタ９、機械シャッタであるフォーカルプレーンシャッタ１０を介して撮像素子としてのＣＣＤ等に代表されるイメージセンサ１１に至る。上記フィルタ９は２つの機能を有しているもので、１つは赤外線をカットし可視光線のみをイメージセンサ１１へ導く機能であり、もう１つは光学ローパスフィルタとしての機能である。また、フォーカルプレーンシャッタ１０は、先幕及び後幕を有して成るもので、撮影レンズ１からの光束を透過、遮断を制御する遮光手段である。
【００１３】
尚、クイックリターンミラー３のアップ時には、サブミラー４は折り畳まれる。
システムコントローラ１５はＣＰＵにより構成されているもので、電子撮像カメラ全体の制御を行う制御手段、第１、第２の読出し手段及び判定手段である。そして、このシステムコントローラ１５には、撮影レンズ１を光軸方向に移動してピント合わせを行うためのレンズ駆動機構１６と、絞り２を駆動するための絞り駆動機構１７と、クイックリターンミラー３のアップダウンの駆動を行うためのミラー駆動機構１８と、シャッタチャージ機構１９と、フォーカルプレーンシャッタ１０の先幕、後幕の走行を制御するためのシャッタ制御回路２０と、イメージセンサ１１の近傍に設置された温度センサ２１と、接眼レンズ７の近傍に設置された測光センサ２２と、システムを制御する上で調整が必要なパラメータが記憶されているＥＥＰＲＯＭ２３とが接続されている。
【００１４】
上記測光センサ２２は、図示されない被写体の輝度を測定するためのセンサであり、この出力はシステムコントローラ１５へ供給される。
また、上記温度センサ２１は、イメージセンサ１１の温度を検出するための測温手段である。温度センサ２１の出力は、イメージセンサ１１の発生する固定パターンノイズを補正する時に必要となる。温度センサとしては、温度に応じて抵抗が変化するサーミスタが代表的である。理想的には、イメージセンサであるＣＣＤのチップ上に温度センサが存在すると良い。ＰＮ接合に発生する順方向電圧は温度に応じて変化するので、この電圧変化を検出しても良い。
【００１５】
上記システムコントローラ１５は、上記レンズ駆動機構１６を制御することにより、被写体像をイメージセンサ１１上へ結像できる。また、システムコントローラ１５は、設定されたＡｖ値に基いて、絞り２を駆動する絞り駆動機構１７を制御し、更に、設定されたＴｖ値に基いて、上記シャッタ制御回路２０へ制御信号を出力する。
【００１６】
上記フォーカルプレーンシャッタ９の先幕、後幕は、駆動源がバネにより構成されており、シャッタ走行後が次の動作のためにバネチャージが必要である。シャッタチャージ機構１９は、そのバネチャージのために設けられている。
【００１７】
また、上記システムコントローラ１５には、画像データコントローラ２５が接続されている。この画像データコントローラ２５は、ＤＳＰ（デジタル信号プロセッサ）により構成される補正データサンプル手段及び補正手段であり、イメージセンサ１１の制御、該イメージセンサ１１から入力された画像データの補正や加工等をシステムコントローラ１５の指令に基いて実行するものである。
【００１８】
また、上記画像データコントローラ２５には、イメージセンサ１１を駆動する時に必要なパルス信号を出力するタイミングパルス発生回路２７と、イメージセンサ１１と共にタイミングパルス発生回路２７で発生されたタイミングパルスを受けて、イメージセンサ１１から出力される被写体像に対応したアナログ信号をデジタル信号に変換するためのＡ／Ｄコンバータ２８と、得られた画像データ（デジタルデータ）を一時的に記憶しておくＤＲＡＭ２９と、Ｄ／Ａコンバータ３０及び画像圧縮回路３３とが接続されている。
【００１９】
上記ＤＲＡＭ２９は、加工や所定のフォーマットへのデータ変換が行われる前の画像データを一時的に記憶するための記憶手段として使用される。
また、上記Ｄ／Ａコンバータ３０には、エンコーダ３１を介して画像表示回路３２が接続される。更に、画像圧縮回路３３には、画像データ記録メディア３４が接続される。
【００２０】
上記画像表示回路３２は、イメージセンサ１１で撮像された画像データを表示するための回路であり、一般にはカラーの液晶表示素子により構成される。画像データコントローラ２５は、ＤＲＡＭ２９上の画像データを、Ｄ／Ａコンバータ３０によりアナログ信号に変換してエンコーダ回路３１へ出力する。すると、エンコーダ回路３１では、画像表示回路３２を駆動する時に必要な映像信号（例えばＮＴＳＣ信号）に、Ｄ／Ａコンバータ３０の出力が変換される。
【００２１】
上記画像圧縮回路３４は、ＤＲＡＭ２９に記憶された画像データの圧縮や変換（例えばＪＰＥＧ）を行うための回路である。変換された画像データは、画像データ記録メディア３４へ格納される。この記録メディアとしては、ハードディスク、フラッシュメモリ、フロッピーディスク等が使用される。
【００２２】
更に、システムコントローラ１５には、カメラの動作モードの情報や露出情報（シャッタ秒時、絞り値等）の表示を行うための動作表示回路３６と、ユーザが所望の動作をこの電子撮像カメラに実行させるべく操作される多数のスイッチで構成される操作スイッチ（ＳＷ）３７が接続されている。
【００２３】
この操作スイッチ３７には、レリーズスイッチ、パワースイッチ、画像表示選択スイッチが含まれる。各スイッチの機能については後述する。
次に、図２及び図３のフローチャートを参照して、システムコントローラ１５のメインルーチンの動作について説明する。
【００２４】
操作スイッチ３７の１つであるパワースイッチがオンされて、カメラのシステムに電力が供給されると、システムコントローラ１５の動作が開始される。そして、先ず、ステップＳ１にてシステムの初期化が行われる。これは、システムコントローラ１５のＩ／Ｏポートの初期化、メモリの初期化等である。また、画像データコントローラ２５に対しても初期化動作の指示が出される。
【００２５】
次いで、ステップＳ２では、制御フラグである固定パターンノイズ（ＦＰＮ）入力フラグがクリア（←“０”）される。ＦＰＮ入力フラグは、ＦＰＮデータの測定が行われて、このデータがＤＲＡＭ２９上に存在する時にセットされる。カメラのシステム起動直後は、このデータが存在しないのでフラグはクリアしなければならない。
ステップＳ３では、画質カウンタがクリア（←“０”）される。下記表１には、画質カウンタの値と画像データの圧縮率の関係が示されている。
【００２６】
【表１】
0004146945.tif 000002
【００２７】
イメージセンサ１１から入力された画像データは、画像データ記録メディア３４へ記憶する際に圧縮をかけてデータの容量を減らす必要がある。画像カウンタは、この圧縮動作の際の圧縮率を示している。圧縮率の初期値を１／２としたので、上記ステップＳ３では画質カウンタはクリアされることになる。
【００２８】
次いで、ステップＳ４では、測光センサ２２から被写体の輝度データが入力される。そして、ステップＳ５では、輝度データとイメージセンサ１１の感度に基いて、絞りの設定値、シャッタ秒時（Ｔｓ）が算出される。ステップＳ６では、動作表示回路３６にカメラの動作状態を示すデータが出力される。このステップＳ６の動作は、メインルーチンの中で周期的に実行されるので、動作表示回路３６の表示部には、常に新しいカメラの動作状態が表示されている。
【００２９】
そして、ステップＳ７に於いて、操作スイッチ３７の１つである画質選択スイッチの状態が検出される。ここで、上記画質選択スイッチの操作が検出された場合にはステップＳ８へ移行し、検出されない場合にはステップＳ１１へ移行する。
【００３０】
ステップＳ８では、画質カウンタがインクリメント（＋１）される。次いで、ステップＳ９にて、画質カウンタが“３”であるか否かが判定される。ここで、画質カウンタの値が“３”でなければ上記ステップＳ４へ移行する。一方、画質カウンタが“３”の場合は、ステップＳ１０に移行してカウンタの値がクリア（←“０”）された後、上記ステップＳ４へ移行する。
【００３１】
上記ステップＳ９及び１０の処理が必要な理由は、上記表１に示されるように、画質カウンタの“０〜２”に対して画像データの圧縮率が規定されているからである。
【００３２】
一方、上記ステップＳ１１では、操作スイッチ３７の１つであるレリーズスイッチの状態が検出される。ここで、レリーズスイッチの操作が検出された場合はステップＳ１４へ移行し、検出されない場合はステップＳ１２へ移行する。
【００３３】
このステップＳ１２では、操作スイッチ３７の１つであるパワースイッチの状態が検出される。ここで、パワースイッチがオンならば、システムは動作可能なので上記ステップＳ１４へ移行する。一方、パワースイッチがオフならばステップＳ１３へ移行し、システムダウンのための処理が実行された後、システムコントローラ１５の動作が停止される。
【００３４】
ステップＳ１４では、焦点調整動作が実行される。すなわち、ＡＦセンサ５より焦点のズレ量に関する情報が入力され、この情報に基いてレンズ駆動機構が制御される。そして、ステップＳ１５では、算出された絞り値に基いて、絞り駆動機構１７が制御される。
【００３５】
次いで、ステップＳ１６では、ミラー駆動機構１８が制御されてクイックリターンミラー３がアップ状態へ駆動される。ステップＳ１７では、フォーカルプレーンシャッタ１０の先幕スタート信号が、シャッタ制御回路２０に出力される。そして、ステップＳ１８にて、上記シャッタの先幕の走行が終了するまで待機される。
【００３６】
次に、ステップＳ１９にて、フォーカルプレーンシャッタ１０の秒時をカウントするためのタイマカウンタのカウント動作が開始される。そして、ステップＳ２０では、画像データコントローラ２５に対してイメージセンサ１１の積分動作が開始されるように指示が出される。
【００３７】
ステップＳ２１では、タイマカウンタの値が算出されたシャッタの秒時（Ｔｓ）に達するまで待機される。ここで、タイマカウンタの値がＴｓになるとステップＳ２２に移行し、フォーカルプレーンシャッタ１０の後幕の走行スタート信号がシャッタ制御回路２０へ出力される。
【００３８】
ステップＳ２３に於いては、後幕の走行が終了するで待機される。次いで、ステップＳ２４にて、画像データコントローラ２５に対してイメージセンサ１１の積分の終了が指示され、更に、ステップＳ２５にてイメージセンサ１１から画像データの取り込みが指示される。こうして、画像データコントローラ２５により、イメージセンサ１１から画像データが取り込まれて、ＤＲＡＭ２９へ一時的に格納される。
【００３９】
ステップＳ２６では、ミラー駆動機構１８が制御されて、クイックリターンミラー３がダウン状態へ移動される。次いで、ステップＳ２７にて、絞り駆動機構１７が制御されて絞り２が開放位置へ駆動される。
【００４０】
そして、ステップＳ２８にて、シャッタチャージ機構１９が制御されて、フォーカルプレーンシャッタ１０の先幕と後幕を駆動するバネのチャージ動作が行われる。ステップＳ２９では、サブルーチン“ＦＰＮ補正”が実行される。このサブルーチンの中で、画像データから固定パターンノイズの除去が行われる。そして、このサブルーチンが終了すると、次の撮影動作のために上記ステップＳ４へ移行する。
【００４１】
次に、図４のフローチャートを参照して、図３のフローチャートに於けるステップＳ２９のサブルーチン“ＦＰＮ補正”の動作について説明する。
ステップＳ３１では、温度センサ２１からイメージセンサ１１の温度データが入力される。次いで、ステップＳ３２では、ＦＰＮデータの測定動作が行われるか否かを判定する際に必要な２つのパラメータ（許容温度Δｔｍｐ、許容秒時係数Ｔｋ）がＥＥＰＲＯＭ２３から読出される。
【００４２】
固定パターンノイズは、温度が８℃〜１０℃上昇すると約２倍に増える。また、積分時間にほぼ比例して増える。画像データから確実にＦＰＮを除去するには、撮影条件（温度、積分時間）と同じ条件でＦＰＮの測定動作が行われ、この測定動作で得られたＦＰＮデータに基いて画像データに補正をかけることが望ましい。しかし、求められる画像データの画質によっては、撮影条件と異なる条件で測定されたＦＰＮデータであっても、補正動作に使用可能である。
【００４３】
許容温度（Δｔｍｐ）は、撮影時の温度とＦＰＮ測定時の温度との許容される温度差を示している。また、許容秒時係数（Ｔｋ）は、撮影時の積分時間（シャッタ秒時）とＦＰＮ測定時の積分時間との許容される差を算出する際に必要な係数である。これら２つのパラメータは、イメージセンサ１１の特性や求める画質の程度を考慮して定める必要があり、一律に決定することが困難である。そこで、ＥＥＰＲＯＭ２３へ記憶することとした。したがって、必要に応じてパラメータの変更が可能となり、便利である。
【００４４】
イメージセンサ１１から読出された画像データは、そのままではデータ容量が大きくて扱いにくいため、一般には圧縮をかけて容量を小さくしている。この実施の形態に於ける電子撮像カメラでは、画像データの圧縮率が変更できるようになっている。
【００４５】
画像データは、圧縮率が高くなるにつれて画質が劣下する。そして、画質が劣下すればＦＰＮの影響は小さくなる。この場合は、多少撮影条件と異なる条件で測定したＦＰＮデータを使用して補正動作を行っても問題にはならない。そこで、ΔｔｍｐとＴｋの値は、画像データの圧縮率に応じて変更することができると更に便利である。そのため、下記表２に示されるように、画質カウンタの値それぞれに対して、ΔｔｍｐとＴｋとが対応されてＥＥＰＲＯＭ２３へ記憶される。
【００４６】
【表２】
0004146945.tif 000003
【００４７】
ステップＳ３３では、ＥＥＰＲＯＭ２３から、固定パターンノイズが測定された時のイメージセンサ１１の温度（ＴＭＰlast）と積分時間（Ｔｓlast）が読出される。次いで、ステップＳ３４に於いて、ＦＰＮフラグの状態が判定される。
【００４８】
ここで、ＦＰＮフラグが“０”であれば、ＦＰＮデータの測定が一度も行われていないことを示している。したがって、ＦＰＮデータの測定動作のためにステップＳ４１へ移行する。一方、ＦＰＮフラグが“１”であれば、ＦＰＮデータがＤＲＡＭ２９上に存在することを示している。したがって、この場合はステップＳ３５へ移行する。
【００４９】
ステップＳ４１では、画像データコントローラ２５に対してイメージセンサ１１の積分スタートが指示される。次いで、ステップＳ４２にて、積分時間（シャッタ秒時）を計測するタイマカウンタのカウント動作が開始される。更に、ステップＳ４３では、タイマカウンタの値がＴｓ（図２のフローチャートのステップＳ５で算出されたシャッタ秒時）になるまで待機される。
【００５０】
ステップＳ４４では、画像データコントローラ２５に対して積分を終了するように指示される。更に、ステップＳ４５では、イメージセンサ１１から画像データを取り込むように指示される。ここで取り込まれたデータは、フォーカルプレーンシャッタ１０が遮光された状態で取り込まれたものであり、これがＦＰＮデータである。ＦＰＮデータは、ＤＲＡＭ２９上に記憶される。
【００５１】
ステップＳ４６では、ＦＰＮ入力フラグがセット（←“１”）される。次いで、ステップＳ４７では、現在のイメージセンサ１１の温度（ＴＭＰｘ）がＴＭＰlastとしてＥＥＰＲＯＭ２３へ記憶される。
【００５２】
ステップＳ４８では、シャッタ秒時（Ｔｓ）がＴｓlastとしてＥＥＰＲＯＭ２３に記憶される。そして、測定されたＦＰＮデータに基いて、画像データに補正をかけるため、ステップＳ３８へ移行する。
【００５３】
一方、上記ステップＳ３５では、ＦＰＮデータ測定時のイメージセンサ１１の温度（ＴＭＰlast）と、現在のイメージセンサ１１の温度（ＴＭＰｘ）との比較が行われ、これらの温度差が許容温度（Δｔｍｐ）より小さいか否かが判定される。ここで、Δｔｍｐより小さい場合はステップＳ３６へ移行するが、Δｔｍｐより大きい場合はＦＰＮデータを測定する必要があるので、ステップＳ４１へ移行する。
【００５４】
ステップＳ３６では、ＦＰＮデータ測定時のイメージセンサ１１の積分時間（Ｔｓlast）と、撮影動作時のシャッタ秒時（Ｔｓ）の比較が行われる。
すなわち、先ず、現在シャッタ秒時から判定値が計算される。例えば、Ｔｓを１／６０（秒）として、画質カウンタを“２”とすると、Ｔｋは２．０となる。したがって、判定値は（１／６０）×（１／２）2 （＝１／２５０）と（１／６０）×２2 （＝１／１５）となる。
【００５５】
したがって、上記ステップＳ３６にて、Ｔｓlastが１／２５０から１／１５の間の値ならば、ステップＳ３７へ移行する。一方、Ｔｓlastがこの間にない場合は、ＦＰＮデータを測定する必要があるので、ステップＳ４１へ移行する。
【００５６】
ステップＳ３７では、画像データコントローラ２５に対してＦＰＮデータの変換演算が指示される。既に測定されてＤＲＡＭ２９上に記憶されたＦＰＮデータは、積分時間（Ｔｓlast）で測定されたデータである。したがって、シャッタ秒時（Ｔｓ）に合わせたＦＰＮデータに変換されなければならない。
【００５７】
ＦＰＮデータは、積分時間に比例してその大きさが変化する。また、ＦＰＮデータは、温度が８℃〜１０℃変化すると約２倍に変化する。ＦＰＮデータ測定時のイメージセンサ１１の温度と現在のイメージセンサ１１の温度も考慮されて、既にＤＲＡＭ２９上に存在するＦＰＮデータの変換が必要である。したがって、変換式は下記（１）式の通りである。
【００５８】
【数１】
0004146945.tif 000004
【００５９】
上記ステップＳ３７では、画像データコントローラ２５に対して、Ｔｓ、Ｔｓlast、ＴＭＰlast、ＴＭＰｘ、Δｔが出力されると共に、上記（１）式の実行が指示される。
【００６０】
続いて、ステップＳ３８では、画像データコントローラ２５に対して、画像データからＦＰＮデータが除去されるように指示される。そして、ステップＳ３９では、画像データコントローラ２５に対して画像データの圧縮動作が指示される。ここで、圧縮率は画質カウンタの値により決定される値である。
【００６１】
最後に、ステップＳ４０にて、画像データコントローラ２５に対して、圧縮された画像データが画像データ記録メディア３４に転送されるように指示される。その後、メインルーチンへ復帰する。
【００６２】
尚、この発明の上記実施の形態によれば、以下の如き構成を得ることができる。
（１）  画像データを出力する撮像素子と、
撮像素子の受光面を遮光可能なシャッタと、
所定撮影条件にて上記シャッタが非遮光状態で撮像素子の画像データを読出す第１読出し手段と、
所定測定条件にて上記シャッタを遮光させた状態で撮像素子の画像データを読出す第２読出し手段と、
上記第２読出し手段の読出した画像データと測定条件とを記憶する記憶手段と、
上記第１読出し手段の作動終了後、撮影条件と記憶手段に記憶された測定条件とを比較すると共に、記憶手段に記憶された画像データに基いて、第１読出し手段の読出し画像データに補正を行うか否かを判定する判定手段と、
を具備したことを特徴とする電子カメラ。
【００６３】
（２）  上記判定手段は、撮影条件と測定条件とを比較するに際して、撮像素子の積分時間を加味して判定することを特徴とする上記（１）に記載の電子カメラ。
【００６４】
（３）  上記判定手段は、撮影条件と測定条件とを比較するに際して、撮像素子の温度データを加味して判定することを特徴とする上記（１）に記載の電子カメラ。
【００６５】
【発明の効果】
以上のようにこの発明によれば、積分時間や読出し時間の増加によるレリーズタイムラグの増大や、連続撮影速度の低下を防止して、画像データから固定パターンノイズの除去を正しく実行可能な電子カメラを提供することができる。
【図面の簡単な説明】
【図１】この発明の第１の実施の形態の構成を示すもので、電子撮像カメラのブロック構成図である。
【図２】図１のシステムコントローラ１５のメインルーチンの動作について説明するフローチャートである。
【図３】図１のシステムコントローラ１５のメインルーチンの動作について説明するフローチャートである。
【図４】図３のフローチャートに於けるステップＳ２９のサブルーチン“ＦＰＮ補正”の動作について説明するフローチャートである。
【符号の説明】
１  撮影レンズ、
２  絞り、
３  クイックリターンミラー、
５  ＡＦセンサ、
７  接眼レンズ、
９  フィルタ、
１０  フォーカルプレーンシャッタ、
１１  イメージセンサ、
１５  システムコントローラ（ＣＰＵ）、
１６  レンズ駆動機構、
１７  絞り駆動機構、
１８  ミラー駆動機構、
１９  シャッタチャージ機構、
２０  シャッタ制御回路、
２１  温度センサ、
２２  測光センサ、
２３  ＥＥＰＲＯＭ、
２５  画像データコントローラ（ＤＳＰ）、
２９  ＤＲＡＭ、
３２  画像表示回路、
３３  画像圧縮回路、
３４  画像データ記録メディア、
３６  動作表示回路、
３７  操作スイッチ（ＳＷ）。
【図１】
0004146945.tif 000005
【図２】
0004146945.tif 000006
【図３】
0004146945.tif 000007
【図４】
0004146945.tif 000008